(57)【特許請求の範囲】
【請求項１】
少なくとも四隅に支柱を立設し、隣接する支柱の端部間を柱状体で連設して枠体を形成してなるラックを複数個連結するための連結具であって、前記ラックの枠体の内側の角部近傍に連結具本体を設け、該連結具本体にはスライドさせることによって突出可能な軸体を内挿すると共に、軸体の摘みをスライドさせ軸体を突出状態で固定するためのガイド溝を設け、前記軸体には先端部近傍に係止片を、略中間部から末端部の間に軸体をスライドさせるための摘みを設け、バネ体によって突出する方向に付勢し、前記ラックの枠体の外側の角部近傍には前記軸体が挿通可能な透孔を設け、該透孔には前記係止片が挿通可能な係止片挿通部を連設し、前記連結具の前記軸体を一方のラックの透孔から突出させ、他方のラックの透孔に挿通し、前記軸体の摘みをガイド溝に沿ってスライドし固定することにより、前記係止片が透孔の係止片挿通部から回動してラックの枠体と係止し、前記ラック同士が連結することを特徴とするラックの連結具。
【発明の詳細な説明】
【０００１】
【産業上の利用分野】
本発明は、四隅に支柱を立設し、隣接する支柱の端部間を柱状体で連設して枠体を形成してなるラックを複数個連結するための連結具に関する。
【０００２】
【従来の技術】
従来、四隅に支柱を立設し、隣接する支柱の端部間を柱状体で連設して枠体を形成してなるラックを複数個連結するための連結具には、図５に示すものがあった。即ち、ラック３１の上面及び底面の角部近傍に夫々透孔３２を設け，透孔３２同士を一致させて一方のラック３１の枠体の内側から他方のラック３１の枠体の内側にボルト３３を挿通し、ナット３４で締め付け固定していた。また、ラック３１の側面に螺孔を設け、連結金具３５を介して螺子３６で螺着固定していた。
【０００３】
【発明が解決しようとする課題】
しかしながら上記従来のラックの連結具によると、工具を用いてボルト、ナット、螺子等を締め付け固定するため、ラック３１の内部に通信機器等が実装されている状態では工具が入るスペースがほとんどなく、また、狭い場所での連結・施工は非常に手間が掛かるという欠点があった。また、連結金具３５を用いて側面から螺子３６で螺着固定する場合には、連結金具３５が突出して邪魔になると共に、連結金具が露出して見栄えが悪いという欠点があった。
【０００４】
【課題を解決するための手段】
上記従来のラックの連結具の問題点に鑑み、本発明の目的は、工具が不要で簡単且つ確実にラック同士を連結できるラックの連結具を提供するもので、少なくとも四隅に支柱を立設し、隣接する支柱の端部間を柱状体で連設して枠体を形成してなるラックを複数個連結するための連結具であって、前記ラックの枠体の内側の角部近傍に連結具本体を設け、該連結具本体にはスライドさせることによって突出可能な軸体を内挿すると共に、軸体の摘みをスライドさせ軸体を突出状態で固定するためのガイド溝を設け、前記軸体には先端部近傍に係止片を、略中間部から末端部の間に軸体をスライドさせるための摘みを設け、バネ体によって突出する方向に付勢し、前記ラックの枠体の外側の角部近傍には前記軸体が挿通可能な透孔を設け、該透孔には前記係止片が挿通可能な係止片挿通部を連設し、前記連結具の前記軸体を一方のラックの透孔から突出させ、他方のラックの透孔に挿通し、前記軸体の摘みをガイド溝に沿ってスライドし固定することにより、前記係止片が透孔の係止片挿通部から回動してラックの枠体と係止し、前記ラック同士が連結することである。
【０００５】
【発明の実施の形態】
連結具の軸体を一方のラックの透孔から突出させ、他方のラックの透孔に挿通し、軸体の摘みをガイド溝に沿ってスライドし固定することにより、係止片が透孔の係止片挿通部から回動してラックの枠体と係止し、ラック同士が連結される。
【０００６】
【実施例】
本発明に係るラックの連結具の一実施例を図１〜図３に示す。以下これらの図面に基づいて本発明を説明する。
【０００７】
ラック１は四隅に支柱２を立設し、隣接する支柱２，２の端部間を柱状体３で連設して枠体４を形成してなる。このラック１を複数個連結するための連結具５は、ラック１の枠体４の内側の角部近傍に連結具本体６を設け、この連結具本体６にはスライドさせることによって突出可能な軸体７を内挿すると共に、軸体７の摘み８をスライドさせ軸体７を突出状態で固定するためのガイド溝９を設け、軸体７には先端部近傍に係止片１０，１０を、略中間部から末端部の間に軸体７をスライドさせるための摘み８を設け、バネ体１１によって突出する方向に付勢し、ラック１の枠体４の外側の角部近傍には軸体７が挿通可能な透孔１２を設け、この透孔１２には係止片１０，１０が挿通可能な係止片挿通部１３，１３が連設されている。
【０００８】
連結具５の軸体７を一方のラック１の透孔１２から突出させ、他方のラック１の透孔に挿通し、軸体７の摘み８をガイド溝９に沿ってスライドし固定することにより、係止片１０，１０が透孔１２の係止片挿通部１３，１３から回動してラック１の枠体４と係止し、ラック１，１同士が連結される。
【０００９】
図４に示すように連結具１５の軸体１７の係止片２０、及び透孔（図示せず）の係止片挿通部（図示せず）は、１箇所でもよく、本発明の趣旨を逸脱しない範囲で適宜変更可能である。
【００１０】
また、本発明においてはラックを垂直方向に積み重ねてこれを連結してしたが、これに限定されるものではなく、水平方向に並設したラック同士を連結するためにこの連結具を用いても何ら問題はない。
【００１１】
【発明の効果】
以上説明したように本発明に係るラックの連結具は、少なくとも四隅に支柱を立設し、隣接する支柱の端部間を柱状体で連設して枠体を形成してなるラックを複数個連結するための連結具であって、前記ラックの枠体の内側の角部近傍に連結具本体を設け、該連結具本体にはスライドさせることによって突出可能な軸体を内挿すると共に、軸体の摘みをスライドさせ軸体を突出状態で固定するためのガイド溝を設け、前記軸体には先端部近傍に係止片を、略中間部から末端部の間に軸体をスライドさせるための摘みを設け、バネ体によって突出する方向に付勢し、前記ラックの枠体の外側の角部近傍には前記軸体が挿通可能な透孔を設け、該透孔には前記係止片が挿通可能な係止片挿通部を連設し、前記連結具の前記軸体を一方のラックの透孔から突出させ、他方のラックの透孔に挿通し、前記軸体の摘みをガイド溝に沿ってスライドし固定することにより、前記係止片が透孔の係止片挿通部から回動してラックの枠体と係止し、前記ラック同士が連結することによって、工具を用いることなくラック同士が簡単且つ確実に連結できるという効果がある。特にラックの搬入が困難な狭い場所での連結・施工では効果が大きい。また、連結具はラック外部に露出しないので、見栄えが良いという効果がある。
【図面の簡単な説明】
【図１】本発明に係るラックの連結具を用いてラックを連結する説明図である。
【図２】本発明に係るラックの連結具の一実施例の要部説明図である。
【図３】本発明に係るラックの連結具の一実施例の動作説明図である。
【図４】本発明に係るラックの連結具の変形実施例の説明図である。
【図５】従来のラックの連結具を用いてラックを連結する説明図である。
【符号の説明】
１    ラック
２    支柱
３    柱状体
４    枠体
５    連結具
６    連結具本体
７    軸体
８    摘み
９    ガイド溝
１０    係止片
１１    バネ体
１２    透孔
１３    係止片挿通部
【図１】
0003560506.tif 000002
【図２】
0003560506.tif 000003
【図３】
0003560506.tif 000004
【図４】
0003560506.tif 000005
【図５】
0003560506.tif 000006